(57)【要約】      （修正有）【課題】排水設備の排水口部に入るゴミをゴミ取りネットを用いて取る場合の排水の悪化を防止できるゴミ取り補助具を提供する。【課題を解決するための手段】ゴミ取りネットが被せられるゴミ取り補助具１を流し台の排水口部に嵌装されるゴミ取り容器５０の中に挿脱自在とする。ゴミ取り補助具１は、ゴミ取り容器５０の上端縁に係止するリング状の係止部２と、コ字状に折曲された２つの枠部７、８の各々が、下に凸となる向きで上側両端部９乃至１２が係止部２の対向する二箇所に係合ピン２９乃至３２により着脱自在に装着されるとともに、２つの枠部７、８が平面的に見て直交するように配設されたカゴ部とを備える。係止部２をゴミ取り容器５０の上端縁に係止させると、カゴ部がゴミ取り容器５０内に吊持状態になるとともに、カゴ部の外面とゴミ取り容器５０の内面の間に隙間が空く。【選択図】図１
0003202961.tif 000002
【実用新案登録請求の範囲】
【請求項１】
排水設備の排水口部に嵌装される多数の排水孔を有するゴミ取り容器の中に挿脱自在でゴミ取りネットが被せられるゴミ取り補助具であって、
枠部によりカゴ形に形成されたカゴ部と、
カゴ部の上端部に設けられて、カゴ部をゴミ取り容器の上端縁に係止する係止部と、
を備え、
係止部をゴミ取り容器の上端縁に係止させると、カゴ部がゴミ取り容器内に吊持状態となるとともに、カゴ部の外面とゴミ取り容器の内面の間に隙間が空くようにしたこと、
を特徴とするゴミ取り補助具。
【請求項２】
ゴミ取り容器は有底の円筒状であり、
係止部はリング状に形成されていること、
を特徴とする請求項１記載のゴミ取り補助具。
【請求項３】
排水設備の排水口部に挿脱自在に嵌装可能で、ゴミ取りネットが被せられるゴミ取り補助具であって、
枠部によりカゴ形に形成されたカゴ部と、
カゴ部の上端部に設けられて、カゴ部を排水設備の排水口部の上端部に係止する係止部と、
を備え、
係止部を排水口部の上端部に係止させると、カゴ部が排水口部内に吊持状態となるとともに、カゴ部の外面と排水口部の内面の間に隙間が空くようにしたこと、
を特徴とするゴミ取り補助具。
【請求項４】
排水口部は円柱状であり、
係止部はリング状に形成されていること、
を特徴とする請求項１乃至３の内のいずれか一項記載のゴミ取り補助具。
【請求項５】
係止部とカゴ部が着脱自在に形成されていること、
を特徴とする請求項１乃至４の内のいずれか一項記載のゴミ取り補助具。
【請求項６】
排水設備の排水口部に嵌装される多数の排水孔を有する有底円筒状のゴミ取り容器の中に挿脱自在でゴミ取りネットが被せられるゴミ取り補助具であって、
ゴミ取り容器の上端縁に係止するリング状の係止部と、
コ字状に折曲された２つの枠部の各々が、下に凸となる向きで上側両端部が係止部の対向する二箇所に固着または着脱自在に装着されるとともに、２つの枠部が平面的に見て直交するように配設されたカゴ部と、
を備え、
係止部をゴミ取り容器の上端縁に係止させると、カゴ部がゴミ取り容器内に吊持状態になるとともに、カゴ部の外面とゴミ取り容器の内面の間に隙間が空くようにしたこと、
を特徴とするゴミ取り補助具。
【請求項７】
排水設備の排水口部に挿脱自在に嵌装可能で、ゴミ取りネットが被せられるゴミ取り補助具であって、
排水口部の上端部に係止するリング状の係止部と、
コ字状に折曲された２つの枠部の各々が、下に凸となる向きで上側両端部が係止部の対向する二箇所に固着または着脱自在に装着されるとともに、２つの枠部が平面的に見て直交するように配設されたカゴ部と、
を備え、
係止部を排水口部の上端部に係止させると、カゴ部が排水口部内に吊持状態になるとともに、カゴ部の外面と排水口部の内面の間に隙間が空くようにしたこと、
を特徴とするゴミ取り補助具。
【考案の詳細な説明】
【技術分野】
【０００１】
本考案はゴミ取り補助具に係り、とくに台所の流し台、お風呂の洗い場等の排水設備の排水口部にゴミ取りネットをセットしてゴミ取りをする場合に好適なゴミ取り補助具に関する。
【背景技術】
【０００２】
台所の流し台の排水口部に嵌脱自在に嵌装するゴミ取り容器は、上端縁にリング状のフランジ部を有し、側面壁がステンレス網、底面壁が円盤状の有孔ステンレス板により、有底の円筒状に形成されている。このゴミ取り容器は、流し台から排水口部に入る水を側面壁の多数の網孔及び底面壁に穿設された多数の小孔から外部へ排水するとともに、流し台に捨てられた野菜屑や残飯を収納する機能を有する。このゴミ取り容器は、溜まった生ゴミを捨て易くするため、使い捨てのゴミ取りネットを被せて使用することが多い。けれども、ゴミ取りネットに溜まった生ゴミが腐敗して生じたヌメリがゴミ取りネットと接するゴミ取り容器の側面壁や底面壁の網孔や小孔を塞いでしまい、排水されてなくなってしまう問題があった。
【先行技術文献】
【特許文献】
【０００３】
【特許文献１】実用新案登録第３００５６００号公報
【考案の概要】
【考案が解決しようとする課題】
【０００４】
本考案は上記した従来技術の問題に鑑みなされたもので、排水設備の排水口部に入るゴミをゴミ取りネットを用いて取り除く場合の排水の悪化を防止できるゴミ取り補助具を提供することを、その目的とする。
【課題を解決するための手段】
【０００５】
請求項１記載のゴミ取り補助具では、
排水設備の排水口部に嵌装される多数の排水孔を有するゴミ取り容器の中に挿脱自在でゴミ取りネットが被せられるゴミ取り補助具であって、
枠部によりカゴ形に形成されたカゴ部と、
カゴ部の上端部に設けられて、カゴ部をゴミ取り容器の上端縁に係止する係止部と、
を備え、
係止部をゴミ取り容器の上端縁に係止させると、カゴ部がゴミ取り容器内に吊持状態となるとともに、カゴ部の外面とゴミ取り容器の内面の間に隙間が空くようにしたこと、
を特徴としている。
請求項２記載のゴミ取り補助具では、
ゴミ取り容器は有底の円筒状であり、
係止部はリング状に形成されていること、
を特徴としている。
請求項３記載のゴミ取り補助具では、
排水設備の排水口部に挿脱自在に嵌装可能で、ゴミ取りネットが被せられるゴミ取り補助具であって、
枠部によりカゴ形に形成されたカゴ部と、
カゴ部の上端部に設けられて、カゴ部を排水設備の排水口部の上端部に係止する係止部と、
を備え、
係止部を排水口部の上端部に係止させると、カゴ部が排水口部内に吊持状態となるとともに、カゴ部の外面と排水口部の内面の間に隙間が空くようにしたこと、
を特徴としている。
請求項４記載のゴミ取り補助具では、
排水口部は円筒状であり、
係止部はリング状に形成されていること、
を特徴としている。
請求項５載のゴミ取り補助具では、
係止部とカゴ部が着脱自在に形成されていること、
を特徴としている。
請求項６記載のゴミ取り補助具では、
排水設備の排水口部に嵌装される多数の排水孔を有する有底円筒状のゴミ取り容器の中に挿脱自在でゴミ取りネットが被せられるゴミ取り補助具であって、
ゴミ取り容器の上端縁に係止するリング状の係止部と、
コ字状に折曲された２つの枠部の各々が、下に凸となる向きで上側両端部が係止部の対向する二箇所に固着または着脱自在に装着されるとともに、２つの枠部が平面的に見て直交するように配設されたカゴ部と、
を備え、
係止部をゴミ取り容器の上端縁に係止させると、カゴ部がゴミ取り容器内に吊持状態になるとともに、カゴ部の外面とゴミ取り容器の内面の間に隙間が空くようにしたこと、
を特徴としている。
請求項７記載のゴミ取り補助具では、
排水設備の排水口部に挿脱自在に嵌装可能で、ゴミ取りネットが被せられるゴミ取り補助具であって、
排水口部の上端部に係止するリング状の係止部と、
コ字状に折曲された２つの枠部の各々が、下に凸となる向きで上側両端部が係止部の対向する二箇所に固着または着脱自在に装着されるとともに、２つの枠部が平面的に見て直交するように配設されたカゴ部と、
を備え、
係止部を排水口部の上端部に係止させると、カゴ部が排水口部内に吊持状態になるとともに、カゴ部の外面と排水口部の内面の間に隙間が空くようにしたこと、
を特徴としている。
【考案の効果】
【０００６】
本考案の１つによれば、ゴミが入るゴミ取りネットと排水設備の排水口部に嵌装されたゴミ取り容器の内面の間に隙間が空き、ゴミ取りネットはゴミ取り容器の排水孔から離れた状態に保持される。従って、ゴミが腐敗してヌメリを生じても、ゴミ取り容器の排水孔が閉塞し難くなり、排水に支障を生じ難くなる。
本考案の他の１つによれば、ゴミが入るゴミ取りネットと排水設備の排水口部の内面の間に隙間が空き、ゴミ取りネットは排水口部の内面壁や排水口部の底面壁から離れた状態に保持される。従って、ゴミが腐敗してヌメリを生じても、排水口部が閉塞し難くなり、排水に支障を生じ難くなる。
【図面の簡単な説明】
【０００７】
【図１】本考案の一実施例に係るゴミ取り補助具の外観斜視図である（実施例１）。
【図２】図１のゴミ取り補助具の組み立て方法の説明図である。
【図３】図１のゴミ取り補助具の組み立て方法の説明図である。
【図４】図１のゴミ取り補助具の使用状態を示す説明図である。
【図５】図１のゴミ取り補助具の他の使用状態を示す説明図である。
【考案を実施するための最良の形態】
【０００８】
以下、本考案の最良の形態を実施例に基づき説明する。
【実施例１】
【０００９】
図１を参照して本考案の一実施例を説明する。図１は本考案に係るゴミ取り補助具の外観斜視図である。
図１において、１はゴミ取り補助具であり、台所の排水設備としての流し台の排水口部（図４の符号４０、４１参照）に嵌装される多数の排水孔を有する有底円筒状のゴミ取り容器５０の中に挿脱自在で、ゴミ取りネット（図４の符号６０参照）が被せられる。２はステンレス製のリング状の係止部であり、ゴミ取り容器５０の上端縁に係止される。図３に示す如く係止部２には周方向に等間隔離れて４つの取り付け孔３乃至６が穿設されている。
【００１０】
７と８は２つのステンレス製の枠部であり、各々、細長い板材をコ字状に折曲して形成されている。枠部７、８の両端縁は側方に折曲されて取り付け部９と１０、１１と１２となっており、図３に示す如く各取り付け部９乃至１２に取り付け孔１３乃至１６が穿設されている。枠部７と８は各々、下を凸向きにしたときの横枠部１７、１８の中心に取り付け孔１９、２０が穿設されており、プラスチック製の係合ピン２１を取り付け孔１９と２０に嵌着し、横枠部１７、１８が直交する向きで着脱自在に取着することで一体化されており、これにより枠構造のカゴ形のカゴ部２２が構成されている（図２参照）。直交する横枠部１７、１８によりカゴ部２２の底部２３が形成され、枠部７、８の縦枠部２４と２５、２６と２７によりカゴ部２２の側部２８が形成されている。
【００１１】
カゴ部２２は下を凸にした向きで、枠部７の上側両端部の取り付け部９、１０が係止部２の対向する２箇所の下面側に、プラスチック製の係合ピン２９、３０を取り付け孔３と１３、５と１４に嵌着することにより着脱自在に取着されている。また、枠部８の上側両端部の取り付け部１１、１２が係止部２の対向する２箇所の下面側に、プラスチック製の係合ピン３１、３２を取り付け孔６と１５、４と１６に嵌着することにより着脱自在に取着されている（図３参照）。
【００１２】
図１、図４に示す如く、ゴミ取り補助具１は、流し台４０の円筒状の排水口部４１に挿脱自在に嵌装されたゴミ取り容器５０に挿脱自在に嵌装される。排水口部４１は上端部に段部４２、下端の底面壁４３の中央に排水パイプ４４と連通した排水孔４５を有している。ゴミ取り容器５０は上端部に段部４２の上側に係止されるリング状のフランジ部５１を有し、側面壁５２がステンレス網、底面壁５３が円盤状の有孔ステンレス板により、有底の円筒状に形成されている。ゴミ取り容器５０の外径は排水口部４１の側面壁４６の内径より少し小さく形成されている。ゴミ取り容器５０の高さは、ゴミ取り容器５０が段部４２に係止された吊持状態にあるとき、底面壁５３と底面壁４３の間に隙間が空く大きさに形成されている。ゴミ取り容器５０は、流し台４０から排水口部４１に入る水を側面壁５２の多数の網孔５４及び底面壁５３に穿設された多数の小孔５５から外部へ排水するとともに、流し台４０に捨てられた野菜屑や残飯などの生ゴミを収納する機能を有する。
【００１３】
図４に示す如く、ゴミ取り補助具１のカゴ部２２の大きさは、ゴミ取り容器５０の内部空間より一回り小さく形成されており、ゴミ取りネット６０をカゴ部２２の中から係止部２の上面に被せ、ゴミ取りネット６０の端部を係止部２の下面側に折り込んだ状態で、係止部２をゴミ取り容器５０の上端縁であるフランジ部５１の上面側に係止することでゴミ取り容器５０に挿脱自在に嵌装すると、カゴ部２２はゴミ取り容器５０内に吊持状態となる。この際、カゴ部２２の側部２８と底部２３の外面と、ゴミ取り容器５０の側面壁５２と底面壁５３の間に隙間Ａ、Ｂが空き、ゴミ取りネット６０はゴミ取り容器５０の排水孔（側面壁５２の網孔５４と底面壁５３の小孔５５）から離れた状態となる。従って、ゴミ取りネット６０に入れた生ゴミが腐敗してヌメリを生じても、ゴミ取り容器５０の排水孔が閉塞し難くなり、流し台４０の水の排水に支障を生じ難くなる。
【００１４】
なお、図５に示す如くゴミ取り容器５０を省略して排水口部４１に直接、ゴミ取り補助具１を嵌装することもできる。すなわち、ゴミ取りネット６０をカゴ部２２の中から係止部２の上面に被せ、ゴミ取りネット６０の端部を係止部２の下面側に折り込んだ状態で、係止部２を排水口部４１の段部４２の上側に係止することで排水口部４１に挿脱自在に嵌装すると、カゴ部２２は排水口部４１内に吊持状態となる。この際、カゴ部２２の側部２８と底部２３の外面と、排水口部４１の側面壁４６と底面壁４３の間に隙間Ａ’、Ｂ’が空き、ゴミ取りネット６０は排水口部４１の側面壁４６、底面壁４３から離れた状態となる。従って、ゴミ取りネット６０に入れた生ゴミが腐敗してヌメリを生じても、排水口部４１が閉塞し難くなり、流し台４０の水の排水に支障を生じ難くなる。
【００１５】
この実施例によれば、ゴミ取り補助具１のカゴ部２２の大きさは、ゴミ取り容器５０の内部空間より一回り小さく形成されており、生ゴミが入れられるゴミ取りネット６０と流し台４０の排水口部４１に嵌装されたゴミ取り容器５０の内面の間に隙間が空き、ゴミ取りネット６０はゴミ取り容器５０の排水孔（側面壁５２の網孔５４と底面壁５３の小孔５５）から離れた状態に保持される。従って、生ゴミが腐敗してヌメリを生じても、ゴミ取り容器５０の排水孔が閉塞し難くなり、流し台４０の水の排水に支障を生じ難くなる。
また、ゴミ取り容器５０を省略して排水口部４１に直接、ゴミ取り補助具１を嵌装する場合でも、生ゴミが入れられるゴミ取りネット６０と排水口部４１の側面壁４６、底面壁４３の間に隙間が空く。従って、生ゴミが腐敗してヌメリを生じても、排水口部４１が閉塞し難くなり、流し台４０の水の排水に支障を生じ難くなる。
また、ゴミ取り補助具１は係止部２と２つの枠部７、８に分解してコンパクトに収納できるので、販売、保管等を行なう際に場所を取らない。
【００１６】
なお、上記した実施例では、係止部と枠部をステンレス製としたが、プラスチック製としても良い。
また、２つの枠部を係合ピンで着脱自在に取着してカゴ部を構成したが、一体的に固着してカゴ部を構成しても良い。
また、係止部とカゴ部を係合ピンで着脱自在に取着してゴミ取り補助具を構成したが、一体的に固着して構成しても良い。
また、２つの枠部を組み合わせてカゴ部を構成したが、３つ、或いは４つの枠部を組み合わせて構成しても良い。
また、係止部はリング状としたが、四角枠など他の形状としてもよい。
また、上記した実施例では、排水設備として台所の流し台を例に挙げて説明したが、本考案は何らこれに限定されず、お風呂の洗い場など、他の排水設備の排水口部に嵌装して使用することもできる。
【産業上の利用可能性】
【００１７】
本考案は、台所の流し台、お風呂の洗い場などの排水設備の排水口部に入るゴミをゴミ取りネットを用いて取り除く場合に適用可能である。
【符号の説明】
【００１８】
１  ゴミ取り補助具
２  係止部
７、８  枠部
２１、２９乃至３２  係合ピン
２２  カゴ部
４０  流し台
４１  排水口部
４３  底面壁
４５  排水孔
４６  側面壁
５０  ゴミ取り容器
５２  側面壁
５３  底面壁
５４  網孔
５５  小孔
６０  ゴミ取りネット
【図１】
0003202961.tif 000003
【図２】
0003202961.tif 000004
【図３】
0003202961.tif 000005
【図４】
0003202961.tif 000006
【図５】
0003202961.tif 000007